(57)【特許請求の範囲】
【請求項１】
管制局と少なくとも１つのＩＰ端末が設置された複数の地球局との間の衛星を経由する衛星回線に備えられた双方向の制御回線を伝送される制御信号により、前記管制局が、それぞれの前記地球局間に、衛星回線を用いたＩＰパケット伝送用の双方向のデータ回線を、ＤＡＭＡ方式により割り当てる衛星回線利用ＩＰプロトコルベースＤＡＭＡシステムの衛星通信方法において、
前記管制局に記憶された前記ＩＰ端末のアドレス管理情報を前記管制局から前記地球局に前記データ回線若しくは前記制御回線にて送信しレプリカとして複数の前記地球局に記憶するステップと、
前記レプリカが所定の前記ＩＰ端末のアドレス管理情報を含むとき、所定の前記ＩＰ端末からのＩＰ通信処理を行う制御メッセージに基づき、所定の前記ＩＰ端末から前記レプリカに所定の前記ＩＰ端末のアドレス管理情報を照会するステップと、
前記レプリカから所定の前記ＩＰ端末に応答された所定の前記ＩＰ端末のアドレス管理情報を前記ＩＰ端末に設定するステップとを備えた衛星通信方法。
【請求項２】
管制局と少なくとも１つのＩＰ端末が設置された複数の地球局との間の衛星を経由する衛星回線に備えられた双方向の制御回線を伝送される制御信号により、前記管制局が、それぞれの前記地球局間に、衛星回線を用いたＩＰパケット伝送用の双方向のデータ回線を、ＤＡＭＡ方式により割り当てる衛星回線利用ＩＰプロトコルベースＤＡＭＡシステムの衛星通信方法において、
前記管制局に記憶された前記ＩＰ端末のアドレス管理情報を前記管制局から前記地球局に前記データ回線若しくは前記制御回線にて送信しレプリカとして複数の前記地球局に記憶するステップと、
前記レプリカが所定の前記ＩＰ端末のアドレス管理情報を含まないとき、所定の前記地球局から前記制御回線にて前記管制局に所定の前記ＩＰ端末のアドレス管理情報を照会するステップと、
所定の前記ＩＰ端末のアドレス管理情報を差分情報として前記管制局から複数の前記地球局に前記データ回線若しくは前記制御回線にて送信するステップと、
前記差分情報を付加して前記レプリカを更新するステップと、
所定の前記ＩＰ端末からのＩＰ通信処理を行う制御メッセージに基づき、所定の前記ＩＰ端末から更新された前記レプリカに所定の前記ＩＰ端末のアドレス管理情報を照会するステップと、
更新された前記レプリカから所定の前記ＩＰ端末に応答された所定の前記ＩＰ端末のアドレス管理情報を所定の前記ＩＰ端末に設定するステップとを備えた衛星通信方法。
【請求項３】
前記ＩＰ端末からの制御メッセージはＤＨＣＰを用い、
前記ＩＰ端末からのＤＨＣＰメッセージを前記レプリカに照会するステップと、
前記ＩＰ端末からの照会に対するアドレス管理情報をＤＨＣＰメッセージに変換して、前記レプリカから前記ＩＰ端末に伝送するステップとを備えた請求項１または請求項２に記載の衛星通信方法。
【請求項４】
前記管制局に記憶された前記アドレス管理情報が変更されたとき、変更された前記アドレス管理情報を、前記管制局から前記地球局に前記データ回線若しくは前記制御回線にて送信し前記レプリカを更新するステップとを備えた請求項１または請求項２に記載の衛星通信方法。
【請求項５】
前記管制局に記憶されたアドレス管理情報に対する誤り検出符号を生成するステップと、
この誤り検出符号を前記管制局から複数の前記地球局に前記制御回線にて定期的に送信しレプリカに対する誤り検出符号として前記地球局に記憶するステップと、
前記アドレス管理情報に対する誤り検出符号と前記レプリカに対する誤り検出符号とを前記地球局それぞれに照合させるステップと、
この照合結果それぞれを前記地球局それぞれから前記管制局に前記制御回線にて送信させるステップと、
前記照合結果が不一致の前記地球局へ前記管制局に記憶されたアドレス管理情報を前記管制局から前記データ回線若しくは前記制御回線にて送信するステップとを備えた請求項１または請求項２に記載の衛星通信方法。
【請求項６】
少なくとも１つのＩＰ端末が設置された複数の地球局間に、双方向の制御回線を有する衛星回線を用いたＩＰパケット伝送用の双方向のデータ回線を割り当てる衛星通信を、衛星回線利用ＩＰプロトコルベースＤＡＭＡシステムに基づいて行う管制局において、
前記ＩＰ端末のアドレス管理情報が記憶され、前記記憶されたアドレス管理情報を前記地球局に前記データ回線若しくは前記制御回線にて送信しレプリカとして前記地球局に記憶させる管制局。
【請求項７】
管制局との間に、双方向の制御回線を有する衛星回線を用いたＩＰパケット伝送用の双方向のデータ回線を割り当てる衛星通信を、衛星回線利用ＩＰプロトコルベースＤＡＭＡシステムに基づいて行う少なくとも１つのＩＰ端末が設置された複数の地球局において、
前記管制局に記憶された前記ＩＰ端末のアドレス管理情報が前記データ回線若しくは前記制御回線にて送信されレプリカとして記憶され、
前記レプリカが所定の前記ＩＰ端末のアドレス管理情報を含むとき、前記管制局に照会することなく、所定の前記ＩＰ端末からのＩＰ通信処理を行う制御メッセージに基づく前記レプリカへの照会により、前記レプリカから応答された所定の前記ＩＰ端末のアドレス管理情報を所定の前記ＩＰ端末に設定する地球局。
【請求項８】
管制局との間に、双方向の制御回線を有する衛星回線を用いたＩＰパケット伝送用の双方向のデータ回線を割り当てる衛星通信を、衛星回線利用ＩＰプロトコルベースＤＡＭＡシステムに基づいて行う少なくとも１つのＩＰ端末が設置された複数の地球局において、
前記管制局に記憶された前記ＩＰ端末のアドレス管理情報が前記データ回線若しくは前記制御回線にて送信されレプリカとして記憶され、
前記レプリカが所定の前記ＩＰ端末のアドレス管理情報を含まないとき、前記制御回線にて前記管制局に所定の前記ＩＰ端末のアドレス管理情報を照会し、前記データ回線若しくは前記制御回線にて応答された所定の前記ＩＰ端末のアドレス管理情報を付加して前記レプリカを更新し、所定の前記ＩＰ端末からのＩＰ通信処理を行う制御メッセージに基づく更新された前記レプリカへの照会により、更新された前記レプリカから応答された所定の前記ＩＰ端末のアドレス管理情報を所定の前記ＩＰ端末に設定する地球局。
【発明の詳細な説明】
【技術分野】
【０００１】
この発明は、衛星を介したＤＡＭＡ（Ｄｅｍａｎｄ  Ａｓｓｉｇｎｍｅｎｔ  Ｍｕｌｔｉｐｌｅ  Ａｃｃｅｓｓ）方式により地球局間の回線を割り当て、ＩＰプロトコルを用いたデータ通信を行う衛星通信方法、管制局及び地球局に関するものである。
【背景技術】
【０００２】
ＤＡＭＡ方式により実現される衛星通信システムの一例としては、三菱電機技報２００３年８月号、Ｐ．５５−５８の掲載記事「地域衛星通信ネットワーク用ＤＡＭＡ装置」（非特許文献１参照）に記載される地域衛星通信ネットワークが挙げられる。
【先行技術文献】
【特許文献】
【０００３】
【特許文献１】特開２０００−３４１３２９号公報
【特許文献２】特開２０００−１５１６９５号公報
【特許文献３】特表２００３−５３０７５９号公報
【非特許文献】
【０００４】
【非特許文献１】三菱電機技報２００３年８月号、Ｐ．５５−５８、「地域衛星通信ネットワーク用ＤＡＭＡ装置」
【発明の概要】
【発明が解決しようとする課題】
【０００５】
従来は、遠隔地に散在する各地球局内の端末機器に付与するＩＰアドレスは、システム全体で統一した規則に基づき、運用管理者がオフラインの手段で設定することが多く、運用管理コストを増加させる一因となっていた。この解決には、各端末機器が、ＤＨＣＰ（Ｄｙｎａｍｉｃ  Ｈｏｓｔ  Ｃｏｎｆｉｇｕｒａｔｉｏｎ  Ｐｒｏｔｏｃｏｌ）等の通信手段を用いて、システムの運用情報に関する集中管理拠点であるＤＡＭＡ管制局から必要情報をオンラインで入手し、自動的にＩＰアドレスを設定できることが望ましい。
【０００６】
この種の課題を解決する従来の手段としては、特許文献１が挙げられるが、この手段では、ユーザ端末が一般的なパーソナルコンピュータ（ＰＣ）で構成される場合、そのＩＰアドレスを設定する機構を提供するために、ＳＬＣＰクライアントと呼ばれる専用ハードウェアの追加装備が必要となり、ＬＡＮインタフェースを標準装備する最近の一般的ＰＣを用意するだけでは、衛星回線を利用した通信ができないため、その追加装備のためのコストが発生するという課題だけでなく、エンドユーザから見た場合、ネットワーク・システムにＬＡＮインタフェースを用いて接続する場合と比較して、運用上の制約が大きく、使い勝手が良くないという課題がある。
【０００７】
また、特許文献２に示される手段も、特許文献１と同様の課題がある。さらに、特許文献３については、衛星回線利用ＩＰプロトコルベースＤＡＭＡシステムにおけるルーティング技術は開示されているが、各端末機器へのＩＰアドレス付与手段については言及していない。
【０００８】
この発明は、上述のような課題を解決するためになされたものであり、ＩＰプロトコルベースＤＡＭＡシステムの衛星通信方法において、ＩＰ端末からの制御メッセージに基づき、管制局から必要情報をオンラインで入手し、自動的にＩＰ端末のアドレス管理情報を設定するものである。
【０００９】
さらに、各ＩＰ端末へＩＰアドレスを自動的に付与するため、ＩＰ端末が一般的なＰＣで構成される場合において、専用ハードウェアの追加装備を必要としない手段を提供するものである。
【課題を解決するための手段】
【００１０】
この発明に係る衛星通信方法、管制局及び地球局は、管制局と少なくとも１つのＩＰ端末が設置された複数の地球局との間の衛星を経由する衛星回線に備えられた双方向の制御回線を伝送される制御信号により、前記管制局が、それぞれの前記地球局間に、衛星回線を用いたＩＰパケット伝送用の双方向のデータ回線を、ＤＡＭＡ方式により割り当てる衛星回線利用ＩＰプロトコルベースＤＡＭＡシステムの衛星通信方法において、前記管制局に記憶された前記ＩＰ端末のアドレス管理情報を前記管制局から前記地球局に前記データ回線若しくは前記制御回線にて送信しレプリカとして複数の前記地球局に記憶するステップと、前記レプリカが所定の前記ＩＰ端末のアドレス管理情報を含むとき、所定の前記ＩＰ端末からのＩＰ通信処理を行う制御メッセージに基づき、所定の前記ＩＰ端末から前記レプリカに所定の前記ＩＰ端末のアドレス管理情報を照会するステップと、前記レプリカから所定の前記ＩＰ端末に応答された所定の前記ＩＰ端末のアドレス管理情報を所定の前記ＩＰ端末に設定するステップとを備えたものである。
【発明の効果】
【００１１】
この発明に係る衛星通信方法、管制局及び地球局によれば、各ＩＰ端末機器が、ＩＰ端末からの制御メッセージにより、ＤＡＭＡ管制局が集中管理しているアドレス管理情報をオンラインで入手して自動的にＩＰアドレスが設定され、運用管理者がオフラインの手段でＩＰアドレスを設定する場合に比べ、運用管理コストが低減される効果がある。
【００１２】
さらに、各ＩＰ端末へＩＰアドレスを自動的に付与するため、ＩＰ端末が一般的ＰＣで構成される場合において、専用ハードウェアの追加装備を必要としない効果がある。
【図面の簡単な説明】
【００１３】
【図１】この発明の実施の形態１に係る衛星通信システムの構成図である。
【図２】この発明の実施の形態１に係るＤＡＭＡ管制局と可搬地球局との間の通信手順を示す信号チャートである。
【図３】この発明に実施の形態２に係るＤＡＭＡ管制局と固定地球局との間の通信手順を示す信号チャートである。
【図４】この発明の実施の形態１、２に係るアドレス管理情報の構成図である。
【図５】この発明の実施の形態３に係る固定地球局において、ＩＰ端末の運用停止に伴い、割り当てられた端末アドレスが不要となった場合の通信手順を示す信号チャートである。
【発明を実施するための形態】
【００１４】
実施の形態１．
この発明の実施の形態１における衛星通信システムについて図１及び図２を用いて説明する。図１は、この発明の実施の形態１に係る衛星通信システムの構成図である。図１において、１はＤＡＭＡ管制局、２は可搬地球局、３は固定地球局、４は衛星回線であり、ＤＡＭＡ管制局１と可搬地球局２及び固定地球局３とは衛星回線４を介して相互に通信される。
【００１５】
ＤＡＭＡ管制局１の構成について説明する。ＤＡＭＡ管制局１において、１１は衛星回線との無線波の送受信を行う衛星回線送受信設備、１２はＤＡＭＡ回線制御を行うＤＡＭＡ制御装置、１３はアドレス管理親サーバ、１４はＬＡＮ回線であり、衛星回線送受信設備１１、ＤＡＭＡ制御装置１２及びアドレス管理親サーバ１３はＬＡＮ回線１４を介して相互に通信される。
【００１６】
可搬地球局２の構成について説明する。可搬地球局２において、２１は衛星回線との無線波の送受信を行う衛星回線送受信設備、２２はＩＰ端末、２３はＬＡＮ回線であり、衛星回線送受信設備２１及びＩＰ端末２２はＬＡＮ回線２３を介して相互に通信される。
【００１７】
固定地球局３の構成について説明する。固定地球局３において、３１は衛星回線との無線波の送受信を行う衛星回線送受信設備、３２はアドレス管理子サーバ、３３はＩＰ端末、３４はＬＡＮ回線であり、衛星回線送受信設備３１、アドレス管理子サーバ３２及びＩＰ電話３３はＬＡＮ回線３４を介して相互に通信される。
【００１８】
この発明の実施の形態１に係る衛星通信システムの動作について、図１及び図２を用いて説明する。図２は、この発明に実施の形態に係るＤＡＭＡ管制局と可搬地球局との間の通信手順を示す信号チャートである。設置されるＩＰ端末数が数個である可搬地球局に設置されたＩＰ端末へのアドレス設定手順について述べる。
【００１９】
図２において、ＤＨＣＰ  ＤＩＳＣＯＶＥＲ、ＤＨＣＰ  ＯＦＦＥＲ、ＤＨＣＰ  ＲＥＱＵＥＳＴ、ＤＨＣＰ  ＡＣＫの各信号は、ＩＥＴＦ（Ｉｎｔｅｒｎｅｔ  Ｅｎｇｉｎｅｅｒｉｎｇ  Ｔａｓｋ  Ｆｏｒｃｅ）が制定するインターネット標準：ＲＦＣ２１３１（Ｄｙｎａｍｉｃ  Ｈｏｓｔ  Ｃｏｎｆｉｇｕｒａｔｉｏｎ  Ｐｒｏｔｏｃｏｌ（ＤＨＣＰ））に規定される信号であり、アドレス管理サーバ探索要求、アドレス管理サーバ探索応答、アドレス割当要求、アドレス割当応答の各信号は、上記のＤＨＣＰに基づく各信号を、衛星回線制御回線上で伝送するために、ＩＥＴＦが制定するインターネット標準：ＲＦＣ１６６１（Ｔｈｅ  Ｐｏｉｎｔ−ｔｏ−Ｐｏｉｎｔ  Ｐｒｏｔｏｃｏｌ  （ＰＰＰ））でカプセル化した信号である。
【００２０】
アドレス管理親サーバ１３は、図４に示す構造を持つアドレス管理情報を保持し、ＩＰ端末２２からのアドレス獲得の要求が発生し、図２に示すアドレス設定手順が実行された際、ＩＰ端末２２からＤＨＣＰ  ＲＥＱＵＥＳＴを受信した時点で、前記ＤＨＣＰ  ＲＥＱＵＥＳＴの信号に含まれるＩＰ端末２２のＭＡＣアドレスを、前記アドレス管理テーブルの当該ＩＰ端末アドレスのエントリ中の端末ＭＡＣアドレスの欄に設定後、ＤＨＣＰ  ＡＣＫを返送することで、ＩＰ端末２２への端末アドレス割り当て手順を終了する。
【００２１】
可搬地球局２に設置されたＩＰ端末２２からアドレス獲得の要求が発生すると、ＩＰ端末２２にてＤＨＣＰプロトコルによるＤＩＳＣＯＶＥＲメッセージが生成され、ステップＳ１により衛星回線送受信設備２１へＬＡＮ回線２３にて伝送される。衛星回線送受信設備２１へ伝送されたＤＩＳＣＯＶＥＲメッセージは、衛星回線送受信設備２１からステップＳ２によりアドレス管理サーバ探索要求信号として、衛星回線４に設けられた衛星回線制御回線４ａを経由してＤＡＭＡ管制局１の衛星回線送受信設備１１へ送信される。衛星回線送受信設備１１で受信されたアドレス管理サーバ探索要求信号は、ＤＩＳＣＯＶＥＲメッセージに復調され、ステップＳ３によりアドレス管理親サーバ１３へＬＡＮ回線１４にて伝送される。
【００２２】
ＤＩＳＣＯＶＥＲメッセージを受信したアドレス管理親サーバ１３は、ＤＨＣＰプロトコルによるＯＦＦＥＲメッセージを生成し、ステップＳ４により衛星回線送受信設備１１へＬＡＮ回線１４にて伝送される。衛星回線送受信設備１１へ伝送されたＯＦＦＥＲメッセージは、衛星回線送受信設備１１からステップＳ５によりアドレス管理サーバ探索応答信号として、衛星回線制御回線４ａを経由して可搬地球局２の衛星回線送受信設備２１へ送信される。衛星回線送受信設備２１で受信されたアドレス管理サーバ探索応答信号は、ＯＦＦＥＲメッセージに復調され、ステップＳ６によりＩＰ端末２２へＬＡＮ回線２３にて伝送される。ＩＰ端末２２はＯＦＦＥＲメッセージを受信することにより、アドレス管理親サーバ１３が応答したことを検知する。
【００２３】
ＩＰ端末２２は、アドレス管理親サーバ１３が応答したことを検知すると、ＩＰ端末のＭＡＣアドレスを含むＤＨＣＰプロトコルによるＲＥＱＵＥＳＴメッセージを生成し、ステップＳ７により衛星回線送受信設備２１へＬＡＮ回線２３にて伝送される。衛星回線送受信設備２１へ伝送されたＲＥＱＵＥＳＴメッセージは、衛星回線送受信設備２１からステップＳ８によりアドレス割当要求信号として、衛星回線制御回線４ａを経由してＤＡＭＡ管制局１の衛星回線送受信設備１１へ送信される。衛星回線送受信設備１１で受信されたアドレス割当要求信号は、ＲＥＱＵＥＳＴメッセージに復調され、ステップＳ９によりアドレス管理親サーバ１３へＬＡＮ回線１４にて伝送される。
【００２４】
ＲＥＱＵＥＳＴメッセージを受信したアドレス管理親サーバ１３は、アドレス管理親サーバ１３に保持されている図４に示す構造を持つアドレス管理情報に基づき、ＲＥＱＵＥＳＴ信号に含まれるＩＰ端末２２のＭＡＣアドレスを、前記アドレス管理テーブルの当該ＩＰ端末アドレスにエントリ中の端末ＭＡＣアドレスの欄に設定する。
【００２５】
アドレス管理親サーバ１３は、設定した端末ＭＡＣアドレスに対応するＩＰ端末アドレスを含むＤＨＣＰプロトコルによるＡＣＫメッセージを生成し、ステップＳ１０により衛星回線送受信設備１１へＬＡＮ回線１４にて伝送される。衛星回線送受信設備１１へ伝送されたＡＣＫメッセージは、衛星回線送受信設備１１からステップＳ１１によりアドレス割当応答信号として、衛星回線制御回線４ａを経由して可搬地球局２の衛星回線送受信設備２１へ送信される。衛星回線送受信設備２１で受信されたアドレス割当応答信号は、ＡＣＫメッセージに復調され、ステップＳ１２によりＩＰ端末２２へＬＡＮ回線２３にて伝送される。ＩＰ端末２２は、ＡＣＫメッセージに含まれるＩＰ端末アドレスでＩＰアドレスが設定され、ＩＰ端末２２への端末アドレス割り当て手順が終了する。
【００２６】
このように、この発明の実施の形態１によれば、各ＩＰ端末が、ＤＨＣＰプロトコルの通信手段を用いて、ＤＡＭＡ管制局が集中管理しているアドレス管理情報をオンラインで入手して自動的にＩＰアドレスが設定され、運用管理者がオフラインの手段でＩＰアドレスを設定する場合に比べ、運用管理コストが低減されるという効果がある。
【００２７】
さらに、各ＩＰ端末へＩＰアドレスを自動的に付与するため、ＩＰ端末が一般的ＰＣで構成される場合において、専用ハードウェアの追加装備を必要としない効果がある。
【００２８】
実施の形態２．
この発明の実施の形態２に係る衛星通信システムの動作について、図１及び図３を用いて説明する。図３は、この発明に実施の形態２に係るＤＡＭＡ管制局と固定地球局との間の通信手順を示す信号チャートである。設置されるＩＰ端末数が数十〜数百個である固定地球局に設置されたＩＰ端末へのアドレス設定手順について述べる。図３において、図１及び図２と同一の構成要素には同一符号を付し、その説明を省略する。
【００２９】
図３において、この発明の実施の形態２に係る衛星通信システムの運用開始時又は衛星通信システムのアドレス体系変更時に、ステップＳ２１によるアドレス管理情報通知信号にて、ＤＡＭＡ管制局１のアドレス管理親サーバ１３は、アドレス管理親サーバ１３に保持されているアドレス管理情報を、各固定地球局３のアドレス管理子サーバ３２へ送信し、アドレス管理子サーバ３２はアドレス管理情報のレプリカとして保存する。
【００３０】
すなわち、この発明の実施の形態２に係る衛星通信システムの運用開始又は通信システムのアドレス体系が変更されると、固定地球局３に設置されたＩＰ端末３３のＩＰアドレスを割り当てる前に、ＤＡＭＡ管制局１のアドレス管理親サーバ１３は、保持しているアドレス管理情報をＬＡＮ回線１４にて衛星回線送受信設備１１に伝送される。衛星回線送受信設備１１に伝送されたアドレス管理情報は、衛星回線４に設けられた衛星回線データ回線４ｂにて、固定地球局３の衛星回線送受信設備３１へ送信される。衛星回線送受信設備３１へ送信されたアドレス管理情報は、ＬＡＮ回線３４にてアドレス管理子サーバ３２へ伝送され、アドレス管理子サーバ３２にアドレス管理情報のレプリカとして保存される。
【００３１】
ステップＳ２１によるアドレス管理情報通知信号にてアドレス管理子サーバ３２にアドレス管理情報のレプリカが保存され、衛星通信システムが運用開始されると、ＤＡＭＡ管制局１のアドレス管理親サーバ１３は、定期的にステップＳ３１によるアドレス管理情報確認要求信号を送信して、固定地球局３のアドレス管理子サーバ３２にアドレス管理情報の確認を要求し、レプリカの健全性を確認する。
【００３２】
アドレス管理子サーバ３２は、ステップＳ３１によるアドレス管理情報確認要求信号を受信すると、アドレス管理情報確認要求信号に含まれるチェックサム、ＣＲＣ符号、ＭＤ５ハッシュ値などのアドレス管理情報に対する誤り検出符号を用いて、アドレス管理子サーバ３２に保存されているレプリカの情報を検査し、その検査結果を、ステップＳ３２によるアドレス管理情報確認応答信号をＤＡＭＡ管制局１のアドレス管理親サーバ１３に返信する。
【００３３】
返信された信号が、アドレス管理子サーバ３２に保存されているレプリカとアドレス管理親サーバ１３に保持されているアドレス管理情報に不一致があったときは、ステップＳ２１により、アドレス管理親サーバ１３のアドレス管理情報が、アドレス管理子サーバ３２へ送信されて、アドレス管理子サーバ３２のレプリカが修正される。
【００３４】
ＩＰ端末３３のアドレス割り当て方法について述べる。固定地球局３に設置されたＩＰ端末３３からアドレス獲得の要求が発生すると、ＩＰ端末３３にてＤＨＣＰプロトコルによるＤＩＳＣＯＶＥＲメッセージが生成され、ステップＳ４１により固定地球局３のアドレス管理子サーバ３２へＬＡＮ回線３４にて伝送される。
【００３５】
ＤＩＳＣＯＶＥＲメッセージを受信したアドレス管理子サーバ３２は、ＤＨＣＰプロトコルによるＯＦＦＥＲメッセージを生成し、ステップＳ４２によりＩＰ端末３３へＬＡＮ回線３４にて伝送される。ＩＰ端末３３はＯＦＦＥＲメッセージを受信することにより、アドレス管理子サーバ３２が応答したことを検知する。
【００３６】
ＩＰ端末３３は、アドレス管理子サーバ３２が応答したことを検知すると、ＩＰ端末のＭＡＣアドレスを含むＤＨＣＰプロトコルによるＲＥＱＵＥＳＴメッセージを生成し、ステップＳ４３によりアドレス管理子サーバ３２へＬＡＮ回線３４にて伝送される。
【００３７】
ＲＥＱＵＥＳＴメッセージを受信したアドレス管理子サーバ３２は、アドレス管理子サーバ３２に保存されている図４に示す構造を持つアドレス管理情報に基づき、ＲＥＱＵＥＳＴ信号に含まれるＩＰ端末３３のＭＡＣアドレスを、前記アドレス管理テーブルの当該ＩＰ端末アドレスにエントリ中の端末ＭＡＣアドレスの欄に設定する。
【００３８】
アドレス管理子サーバ３２は、設定した端末ＭＡＣアドレスに対応するＩＰ端末アドレスを含むＤＨＣＰプロトコルによるＡＣＫメッセージを生成し、ステップＳ４４によりＩＰ端末３３へＬＡＮ回線３４にて伝送される。ＩＰ端末３３は、ＡＣＫメッセージに含まれるＩＰ端末アドレスでＩＰアドレスが設定され、ＩＰ端末３３への端末アドレス割り当て手順が終了する。
【００３９】
この発明の実施の形態２によれば、固定地球局内の各ＩＰ端末は、アドレス設定の際、衛星回線経由でＤＡＭＡ管制局が集中管理しているアドレス管理情報にアクセスする必要がないので、アドレス管理のためのトラヒックが衛星回線に集中し、衛星回線を輻輳させることがないという効果を奏する。例えば、固定地球局が、多数のＩＰ端末が存在するオフィス等に設置されている場合には、朝の始業時に、各ＩＰ端末が一斉に電源投入されてアドレス管理トラヒックが一時に大量に発生する事態が想定され、このような場合に特に効果を奏する。
【００４０】
実施の形態３．
この発明の実施の形態３について、図５を用いて説明する。図５は、固定地球局において、ＩＰ端末の運用停止に伴い、割り当てられた端末アドレスが不要となった場合の通信手順を示す信号チャートである。図５において、図３と同一の構成要素には同一符号を付し、その説明を省略する。
【００４１】
ＩＰ端末３３は、割り当てられた端末アドレスが不要になると、端末アドレス情報を含むＤＨＣＰプロトコルによるＲＥＬＥＡＳＥメッセージを生成し、ステップＳ５１によりアドレス管理子サーバ３２へＬＡＮ回線３４にて伝送する。
【００４２】
アドレス管理子サーバ３２は、ステップＳ５２によりＲＥＬＥＡＳＥメッセージをアドレス開放通知信号として、ＬＡＮ回線３４にて衛星回線送受信設備３１へ伝送し、衛星回線送受信設備３１から衛星回線制御回線４ａにてＤＡＭＡ管制局１の衛星回線送受信設備１１へ送信し、衛星回線送受信設備１１からＬＡＮ回線１４にてアドレス管理親サーバ１３へ伝送される。
【００４３】
アドレス管理親サーバ１３は、伝送されたアドレス開放通知信号に含まれる端末アドレスに対応するアドレス管理情報の端末ＭＡＣアドレスを開放する。
【００４４】
この発明の実施の形態３により、不要となった端末アドレスを、通信回線システム全体で再利用することを可能とする。
【符号の説明】
【００４５】
１・・ＤＡＭＡ管制局
２・・可搬地球局
３・・固定地球局
４・・衛星回線、  ４ａ・・衛星回線制御回線、  ４ｂ・・衛星回線データ回線
１１・・衛星回線送受信設備
１２・・ＤＡＭＡ制御装置
１３・・アドレス管理親サーバ
１４・・ＬＡＮ回線
２１・・衛星回線送受信設備
２２・・ＩＰ端末
２３・・ＬＡＮ回線
３１・・衛星回線送受信設備
３２・・アドレス管理子サーバ
３３・・ＩＰ端末
【図１】
0005708288.tif 000002
【図２】
0005708288.tif 000003
【図３】
0005708288.tif 000004
【図４】
0005708288.tif 000005
【図５】
0005708288.tif 000006